(57)【要約】      （修正有）【課題】恋人や配偶者あるいは子供を得る等の人との間で縁を結ぶことを祈願するための縁結び用の縁起物に関し、複数の縁結び用の縁起物から構成されており、その分離及び結合を繰り返し簡便に行えるように連結された一組の縁結び用の縁起物であって、複数の縁結び用の縁起物の全部又は一部の態様が異なるようにして面白みを増大させた一組の縁結び用の縁起物を提供する。【解決手段】一組の縁結び用の縁起物１は、複数の縁結び用の縁起物２，３から構成されており、縁結び用の縁起物２，３は装飾体２１，３１と連結部材２２，３２とからなる。装飾体２１，３１は衣服用ボタンであり、連結部材２２，３２は柔軟性のある長尺のひも状部材であって、連結部材２２，３２を相互に連結することによって複数の縁結び用の縁起物２，３を連結する。【選択図】図１
0003194142.tif 000002
【実用新案登録請求の範囲】
【請求項１】
その分離及び結合が可能なように連結される複数の縁結び用の縁起物から構成されており、該縁結び用の縁起物は装飾体と連結部材とからなり、該装飾体は衣服用ボタンであり、該連結部材は柔軟性のある長尺のひも状部材であって、該連結部材を相互に連結することによって複数の該縁結び用の縁起物を連結することを特徴とする一組の縁結び用の縁起物。
【請求項２】
請求項１に記載した一組の縁結び用の縁起物であって、複数の前記縁結び用の縁起物によって前記装飾体及び／又は前記連結部材の全部又は一部の態様が相互に異なることを特徴とする一組の縁結び用の縁起物。
【請求項３】
請求項１又は２に記載した一組の縁結び用の縁起物であって、前記連結部材を結び合わせて相互に連結することによって複数の前記縁結び用の縁起物を連結することを特徴とする一組の縁結び用の縁起物。
【請求項４】
請求項１又は２に記載した一組の縁結び用の縁起物であって、前記連結部材を縒り合わせて相互に連結することによって複数の前記縁結び用の縁起物を連結することを特徴とする一組の縁結び用の縁起物。
【請求項５】
請求項１又は２に記載した一組の縁結び用の縁起物であって、連結具を取り付けて前記連結部材を相互に連結することによって複数の前記縁結び用の縁起物を連結することを特徴とする一組の縁結び用の縁起物。
【考案の詳細な説明】
【技術分野】
【０００１】
本考案は、恋人や配偶者あるいは子供を得る等の人との間で縁を結ぶことを祈願するための縁結び用の縁起物に関し、特にその分離及び結合が可能なように連結される複数の縁結び用の縁起物からなる一組の縁結び用の縁起物に関する。
【背景技術】
【０００２】
従来、上記のような人との間で縁を結ぶことを祈願するための縁結び用の縁起物であって、複数の縁結び用の縁起物からなる一組の縁結び用の縁起物が提供されている。まず、２つのお守りを表裏互い違いに分離可能なようにその縁部で連結して一体化したお守りが提案されている（例えば、特許文献１参照。）。また、自分の名前と相手の名前をそれぞれに記載した２枚のラベルを用いて２個の赤色のハート形の装飾体のそれぞれに一本の赤色の糸を貼り付けることによって連結した縁結びが提案されている（例えば、特許文献２参照。）。更に、社寺等が一対のお守りを提供し、社寺等での参拝の際に該一対のお守りを購入した祈願者がその一方を自ら保有し、その他方を社寺等に保管してもらうという一対のお守りの保管方法も提案されている（例えば、特許文献３参照。）。
【０００３】
上記のような従来技術に係る一組の縁結び用の縁起物は、該一組の縁結び用の縁起物を構成する複数の縁結び用の縁起物の内、人との間で縁を結ぶことを祈願する祈願者自身が１つの縁結び用の縁起物を保有するとともに、祈願者が縁を結ぶことを所望する対象者もまた１つの縁結び用の縁起物を保有することによって、祈願者と対象者との間で一組の縁結び用の縁起物を分かち合うことができる。そうすると、従来技術に係る一組の縁結び用の縁起物は、印象的で思い出深い態様で使用することができ、縁結び用の縁起物として好適である（特に、特許文献１及び２参照。）。
【０００４】
また、上記のような従来技術に係る一組の縁結び用の縁起物は、該一組の縁結び用の縁起物を構成する複数の縁結び用の縁起物の内、祈願者が１つの縁結び用の縁起物を保有するとともに、社寺等が１つの縁結び用の縁起物を保管することによって、祈願者と社寺等との間で一組の縁結び用の縁起物を分かち合うことができる。そうすると、従来技術に係る一組の縁結び用の縁起物は、祈願者と社寺等との間に一層深いつながりを築くことができるとともに、祈願者の念願が成就した際には祈願者が保有していた縁結び用の縁起物と社寺等が保管していた縁結び用の縁起物とを結合させて一組の縁結び用の縁起物にすることによって祈願者に念願が成就したことについての一層の達成感を与えることができるため、縁結び用の縁起物として好適である（特に、特許文献３参照。）。
【先行技術文献】
【特許文献】
【０００５】
【特許文献１】特開平８−１３１３１９号公報
【特許文献２】特開２０００−５０３８号公報
【特許文献３】特開２００３−５２５２７号公報
【考案の概要】
【考案が解決しようとする課題】
【０００６】
しかしながら、上記の従来技術に係る一組の縁結び用の縁起物にあっては、該一組の縁結び用の縁起物を構成する複数の縁結び用の縁起物を切り離して分離する構造にすると、再度これらを結合させることが困難であるという問題があった（例えば、特許文献１参照。）。そこで、本考案の解決しようとする第一の課題は、その分離及び結合を繰り返し行うことができるように連結できる複数の縁結び用の縁起物からなる一組の縁結び用の縁起物を提供することにある。
【０００７】
また、上記の従来技術に係る一組の縁結び用の縁起物にあっては、該一組の縁結び用の縁起物を構成する複数の縁結び用の縁起物の分離及び結合を繰り返し行えるにしても、該複数の縁結び用の縁起物を連結している糸等の連結部材を粘着テープ等を用いて係止したのでは、その分離及び結合が煩わしく、また使用済みの粘着テープ等の廃棄物を生じるという問題があった（例えば、特許文献２参照。）。そこで、本考案の解決しようとする第二の課題は、その分離及び結合を簡便に行うことができるように連結できる複数の縁結び用の縁起物からなる一組の縁結び用の縁起物を提供することにある。
【０００８】
更に、上記の従来技術に係る一組の縁結び用の縁起物にあっては、該一組の縁結び用の縁起物を構成する複数の縁結び用の縁起物が同一の態様即ち大きさ、重量、形状、そして材質等において同一のものであるために、上記のような祈願者と対象者又は祈願者と社寺は同一の態様に係る縁結び用の縁起物を保有することになり、面白みに欠けるという問題があった（例えば、特許文献１，２，及び３参照。）。そこで、本考案の解決しようとする第三の課題は、その分離及び結合を繰り返し行うことができるように連結できる複数の縁結び用の縁起物からなる一組の縁結び用の縁起物であって、該複数の縁結び用の縁起物の全部又は一部の態様が異なるようにして面白みを増大させた一組の縁結び用の縁起物を提供することにある。
【課題を解決するための手段】
【０００９】
本考案は、上記の各課題を解決するために提案されたものであり、以下の構成を有するものである。以下では、本考案の構成を理解するのを補助するため、本願に添付した図面に表示した番号及び符号をあわせて記載する。
【００１０】
請求項１に係る一組の縁結び用の縁起物（１）は、その分離及び結合が可能なように連結される複数の縁結び用の縁起物（２，３）から構成されており、縁結び用の縁起物（２，３）は装飾体（２１，３１）と連結部材（２２，３２）とからなる。装飾体（２１，３１）は衣服用ボタンであり、連結部材（２２，３２）は柔軟性のある長尺のひも状部材であって、連結部材（２２，３２）を相互に連結することによって複数の縁結び用の縁起物（２，３）を連結する。
【００１１】
請求項２に係る一組の縁結び用の縁起物（１）は、請求項１に記載した一組の縁結び用の縁起物であって、複数の縁結び用の縁起物（２，３）によって装飾体（２１，３１）及び／又は連結部材（２２，３２）の全部又は一部の態様が相互に異なる。
【００１２】
請求項３に係る一組の縁結び用の縁起物（１）は、請求項１又は２に記載した一組の縁結び用の縁起物であって、連結部材（２２，３２）を結び合わせて相互に連結することによって複数の縁結び用の縁起物（２，３）を連結する。
【００１３】
請求項４に係る一組の縁結び用の縁起物（１）は、請求項１又は２に記載した一組の縁結び用の縁起物であって、連結部材（２２，３２）を縒り合わせて相互に連結することによって複数の縁結び用の縁起物（２，３）を連結する。
【００１４】
請求項５に係る一組の縁結び用の縁起物（１）は、請求項１又は２に記載した一組の縁結び用の縁起物であって、連結具（４）を取り付けて連結部材（２２，３２）を相互に連結することによって複数の縁結び用の縁起物（２，３）を連結する。
【考案の効果】
【００１５】
本考案に係る一組の縁結び用の縁起物は、上記の通りの構成であるから、以下のような効果を奏することができる。
【００１６】
まず、衣服用ボタンは衣服を打ち合わせて留めるための部品であるところ、人との間で縁を結ぶことの象徴として、一組の縁結び用の縁起物（１）を構成する複数の縁結び用の縁起物（２，３）を形成する装飾体（２１，３１）に相応しいものである。また、衣服用ボタンには彫刻を彫ったり模様を描いたりして美的な処理が施されているものがあるところ、このような衣服用ボタンを装飾体（２１，３１）として用いることによって一組の縁結び用の縁起物（１）の美観を一層向上させることができる。そして、衣服用ボタンには該衣服用ボタンを衣服に縫い付ける際に糸を通すための孔部やループ等の糸通し部（２１ａ，３１ａ）が設けられているから、連結部材（２２，３２）を挿通させて取り付けるのに便宜である。
【００１７】
そして、請求項１に記載した一組の縁結び用の縁起物（１）は、柔軟性のある長尺のひも状部材である連結部材（２２，３２）が相互に連結することによって、複数の縁結び用の縁起物（２，３）が結合されている。即ち、具体的には、請求項３に係る一組の縁結び用の縁起物（１）であれば結び合わされて、請求項４に係る一組の縁結び用の縁起物（１）であれば縒り合わされて、請求項５に係る一組の縁結び用の縁起物（１）であれば連結具（４）を取り付けられて、それぞれの連結部材（２２，３２）が相互に連結されることによって、複数の縁結び用の縁起物（２，３）が結合されている。
【００１８】
そうすると、結合されている複数の縁結び用の縁起物（２，３）について連結されている連結部材（２２，３２）を解いたり、ほどいたり、連結具（４）を取り外したりして、その連結を解除することによって、複数の縁結び用の縁起物（２，３）を分離することができる。また、分離されている一組の縁結び用の縁起物（１）について連結が解除されている連結部材（２２，３２）を結び合わせたり、縒り合わせたり、連結具（４）を取り付けたりして連結することによって、複数の縁結び用の縁起物（２，３）を結合することができる。従って、本考案に係る一組の縁結び用の縁起物は、その分離及び結合を繰り返し行うことができるように連結できる複数の縁結び用の縁起物からなる一組の縁結び用の縁起物を提供するという本考案の解決しようとする第一の課題を解決することができる。
【００１９】
また、上記のような連結部材（２２，３２）を連結する作業及び連結を解除する作業は手軽に行うことができ、またこれらの作業を行うに際して廃棄物を生じることもない。従って、本考案に係る一組の縁結び用の縁起物は、その分離及び結合を簡便に行うことができるように連結できる複数の縁結び用の縁起物からなる一組の縁結び用の縁起物を提供するという本考案の解決しようとする第二の課題を解決することができる。
【００２０】
そして、請求項２に係る一組の縁結び用の縁起物（１）を構成する複数の縁結び用の縁起物（２，３）は、装飾体（２１，３１）の全部又は一部の態様即ちその大きさ、重量、形状、そして材質等が異なるものであり、また、連結部材（２２，３２）の全部又は一部の態様即ちその色彩、太さ、長さ、縒り合せ、そして材質等も異なるものである。そうすると、上記のような祈願者と対象者又は祈願者と社寺等は異なる態様に係る縁結び用の縁起物（２，３）をそれぞれ保有することができる。従って、請求項２に係る一組の縁結び用の縁起物は、その分離及び結合を繰り返し行うことができるように連結できる複数の縁結び用の縁起物からなる一組の縁結び用の縁起物であって、該複数の縁結び用の縁起物の全部又は一部の態様が異なるようにして面白みを増大させた一組の縁結び用の縁起物を提供するという本考案の解決しようとする第三の課題を解決することができる。
【００２１】
もちろん、本考案に係る一組の縁結び用の縁起物（１）は、例えば、人との間で縁を結ぶことを祈願する祈願者自らが第１の縁結び用の縁起物（２）を保有するとともに、祈願者が縁を結ぶことを所望する対象者もまた第２の縁結び用の縁起物（３）を保有することによって、祈願者と対象者との間で一組の縁結び用の縁起物（１）を分かち合うことができるため、印象的で思い出深い態様で使用することができ、縁結び用の縁起物として好適である。
【００２２】
また、本考案に係る一組の縁結び用の縁起物は、例えば、祈願者が第１の縁結び用の縁起物（２）を保有するとともに、社寺等が第２の縁結び用の縁起物（３）を保管することによって、祈願者と社寺等との間で一組の縁結び用の縁起物（１）を分かち合うことができる。そうすると、本考案に係る一組の縁結び用の縁起物（１）は、祈願者と社寺等との間に一層深いつながりを築くことができるとともに、祈願者の念願が成就した際には祈願者が保有していた第１の縁結び用の縁起物（２）と社寺等が保管していた第２の縁結び用の縁起物（３）とを結合させて一組の縁結び用の縁起物（１）に形成することによって祈願者に念願が成就したことについての一層の達成感を与えることができるため、縁結び用の縁起物として好適である。
【図面の簡単な説明】
【００２３】
【図１】本考案の第１実施形態に係る一組の縁結び用の縁起物についてこれを構成する複数の縁結び用の縁起物を結合した状態を示した平面図である。
【図２】本考案の第１実施形態に係る一組の縁結び用の縁起物についてこれを構成する複数の縁結び用の縁起物を分離した状態を示した平面図である。
【図３】本考案の第２実施形態に係る一組の縁結び用の縁起物についてこれを構成する複数の縁結び用の縁起物を結合した状態を示した平面図である。
【図４】本考案の第２実施形態に係る一組の縁結び用の縁起物についてこれを構成する複数の縁結び用の縁起物を分離した状態を示した平面図である。
【図５】本考案の第３実施形態に係る一組の縁結び用の縁起物についてこれを構成する複数の縁結び用の縁起物を結合した状態を示した平面図である。
【図６】本考案の第３実施形態に係る一組の縁結び用の縁起物についてこれを構成する複数の縁結び用の縁起物を分離した状態を示した平面図である。
【考案を実施するための形態】
【００２４】
以下に、本考案の第１実施形態に係る一組の縁結び用の縁起物の構造及びその使用態様について添付図面に基づいて説明する。まず、本考案の第１実施形態に係る一組の縁結び用の縁起物の構造について説明する。
【００２５】
本考案の第１実施形態に係る一組の縁結び用の縁起物（１）は、図１及び２に図示するように、第１の縁結び用の縁起物（２）と第２の縁結び用の縁起物（３）とから構成される。尚、図１及び２では、一組の縁結び用の縁起物（１）を構成する縁結び用の縁起物（２，３）は２個であるが、２個以上であればその個数は特に限定されない。
【００２６】
第１の縁結び用の縁起物（２）と第２の縁結び用の縁起物（３）は、図１及び２に図示するように、それぞれ装飾体（２１，３１）と連結部材（２２，３２）とから構成される。
【００２７】
装飾体（２１，３１）は、図１及び２に図示するように、衣服用ボタンである。衣服用ボタンは衣服を打ち合わせて留めるための部品であるところ、人との間で縁を結ぶことの象徴として、装飾体（２１，３１）として相応しいものである。また、衣服用ボタンには該衣服用ボタンを衣服に縫い付ける際に糸を通すための孔部やループ等の糸通し部（２１ａ，３１ａ）が設けられているから、衣服用ボタンを装飾体（２１，３１）として用いると柔軟性のある長尺のひも状部材である連結部材（２２，３２）を取り付けるのに便宜である。
【００２８】
衣服用ボタンには、その大きさ、重量、形状、そして材質等が異なる様々なものがある。即ち、衣服用ボタンには、大きいものもあれば小さいものもあり、重いものもあれば軽いものもあり、平面視形状が円形のものや四角形状のもの等も提供されており、合成樹脂製や金属製あるいは貝殻を素材にしたもの等実に多様なものが提供されている。また、衣服用ボタンには彫刻を彫ったり模様を描いたりして美的な処理が施されているものがあるところ、このような衣服用ボタンを装飾体（２１，３１）として用いれば、一組の縁結び用の縁起物（１）の美観を一層向上させることができる。更に、図示するように、一組の縁結び用の縁起物（１）を提供する社寺等の名称を衣服用のボタンに記載すれば、どこの社寺等で人との間で縁を結ぶことを祈願したのかが分かり易くなり、好適である。
【００２９】
そうすると、例えば、図１及び２に図示するように、第１の縁結び用の縁起物（２）を形成する装飾体（２１）として比較的小さくて軽い衣服用のボタンを用いることによって女性を象徴し、第２の縁結び用の縁起物（３）を形成する装飾体（３１）として比較的大きくて重い衣服用のボタンを用いることによって男性を象徴すること等ができる。このように一組の縁結び用の縁起物（１）を構成する複数の装飾体（２１，３１）が異なる態様であることによって、一組の縁結び用の縁起物（１）の面白みが増大するのである。もちろん、所望の場合には、同一の態様に係る衣服用ボタンを装飾体（２１，３１）として用いることも可能である。
【００３０】
連結部材（２２，３２）は、図１及び２に図示するように、柔軟性のある長尺のひも状部材であって、例えば各種の繊維製のひも等を用いることができる。繊維製のひもには、その色彩、太さ、長さ、縒り合せ、そして材質等が異なる様々なものがある。
【００３１】
そうすると、例えば、図１及び２に図示するように、第１の縁結び用の縁起物（２）を形成する連結部材（２２）として赤色で着色した繊維製のひもを用いることによって女性を象徴し、第２の縁結び用の縁起物（３）を形成する連結部材（３２）として白色で着色した繊維製のひもを用いることによって男性を象徴すること等ができる。このように一組の縁結び用の縁起物（１）を構成する複数の連結部材（２２，３２）が異なる態様であることによって、一組の縁結び用の縁起物（１）の面白みが増大するのである。もちろん、所望の場合には、同一の態様に係る柔軟性のある長尺のひも状部材を連結部材（２２，３２）として用いることも可能である。
【００３２】
尚、図１及び２では、第１の縁結び用の縁起物（２）及び第２の縁結び用の縁起物（３）を形成する連結部材（２２，３２）は、それぞれ１つずつ含まれているが、それぞれ２つずつ以上含まれていてもよく、その個数は特に限定されない。また、連結部材（２２，３２）は、第１の縁結び用の縁起物（２）及び第２の縁結び用の縁起物（３）毎にその個数を異ならせてもよい。
【００３３】
一組の縁結び用の縁起物（１）は、第１の縁結び用の縁起物（２）が装飾体（２１）における糸通し部（２１ａ）に連結部材（２２）が挿通されて取り付けられているとともに、第２の縁結び用の縁起物（３）も装飾体（３１）における糸通し部（３１ａ）に連結部材（３２）が挿通されて取り付けられており、双方の連結部材（２２，３２）を結び合わせて第１の縁結び用の縁起物（２）と第２の縁結び用の縁起物（３）とを結合している。
【００３４】
以上が、本考案の第１実施形態に係る一組の縁結び用の縁起物についての説明である。次に、本考案の第１実施形態に係る一組の縁結び用の縁起物の使用態様について説明する。
【００３５】
図２に図示するように、結合されている第１の縁結び用の縁起物（２）と第２の縁結び用の縁起物（３）について、結び合わされている連結部材（２２，３２）を解いて、その連結を解除することによって、第１の縁結び用の縁起物（２）と第２の縁結び用の縁起物（３）とを分離することができる。また、図１に図示するように、分離されている第１の縁結び用の縁起物（２）と第２の縁結び用の縁起物（３）について、連結が解除されている連結部材（２２，３２）を結び合わせて連結することによって、第１の縁結び用の縁起物（２）と第２の縁結び用の縁起物（３）とを結合することができる。
【００３６】
従って、本考案の第１実施形態に係る一組の縁結び用の縁起物（１）は、第１の縁結び用の縁起物（２）及び第２の縁結び用の縁起物（３）の分離及び結合を繰り返し行うことができ、また上記のような連結部材（２２，３２）を連結する作業及び連結を解除する作業は手軽に行うことができるとともに、これらの作業を行うに際して廃棄物を生じることもない。
【００３７】
具体的には、例えば、社寺等での参拝の際に本考案の第１実施形態に係る一組の縁結び用の縁起物（１）を購入したのが男性との間で縁を結ぶことを祈願する女性である場合には、結合されている一組の縁結び用の縁起物（１）について結び合わされている連結部材（２２，３２）を解いて、その連結を解除することによって、第１の縁結び用の縁起物（２）と第２の縁結び用の縁起物（３）とを分離する。そして、第１の縁結び用の縁起物（２）を祈願者が保有し、第２の縁結び用の縁起物（３）を祈願者が縁を結ぶことを所望する男性である対象者に保有してもらい、祈願者と対象者との間で一組の縁結び用の縁起物（１）を分かち合うことができる。また、例えば、結婚記念日等の際には、分離されている一組の縁結び用の縁起物（１）について、連結が解除されている連結部材（２２，３２）を結び合わせて、その連結を行うことによって、第１の縁結び用の縁起物（２）と第２の縁結び用の縁起物（３）とを結合する。そうすると、一組の縁結び用の縁起物（１）は、印象的で思い出深い態様で使用することができ、縁結び用の縁起物として好適である。
【００３８】
また、例えば、第１の縁結び用の縁起物（２）を祈願者が保有し、第２の縁結び用の縁起物（３）を社寺が保管する。そうすると、祈願者が第１の縁結び用の縁起物（２）を保有するとともに、社寺もまた第２の縁結び用の縁起物（３）を保管することによって、祈願者と社寺との間で一組の縁結び用の縁起物（１）を分かち合うことができるため、一組の縁結び用の縁起物（１）は、祈願者と社寺との間に一層深いつながりを築くことができる。
【００３９】
そして、第１の縁結び用の縁起物（２）を保有していた祈願者の念願が成就して男性との間で縁を結ぶことができた際には、祈願者は第１の縁結び用の縁起物（２）を持って一組の縁結び用の縁起物（１）を購入した社寺に再び参拝する。社寺は分離されている一組の縁結び用の縁起物（１）について連結が解除されている連結部材（２２，３２）を結び合わせて、その連結を行うことによって、第１の縁結び用の縁起物（２）と第２の縁結び用の縁起物（３）とを結合することができる。あわせて、その際に連結部材（２２，３２）の先端をわずかに切断すること等によって、祈願者又はその男性がお互い以外の人との間で縁を結ばないように祈願することにも一組の縁結び用の縁起物（１）を用いることができる。そうすると、祈願者が持参した第１の縁結び用の縁起物（２）と社寺が保管していた第２の縁結び用の縁起物（３）とを結合させて一組の縁結び用の縁起物（１）にすることによって祈願者に念願が成就したことについての一層の達成感を与えることができるため、縁結び用の縁起物として好適である。
【００４０】
以上が、本考案の第１実施形態に係る一組の縁結び用の縁起物についての説明である。次に、本考案の第２実施形態に係る一組の縁結び用の縁起物の構造及びその使用態様について添付図面に基づいて説明する。尚、本考案の第２実施形態に係る一組の縁結び用の縁起物の構造及びその使用態様は、下記の事項以外、前記の本考案の第１実施形態に係る一組の縁結び用の縁起物の構造及びその使用態様と同一である。
【００４１】
本考案の第２実施形態に係る一組の縁結び用の縁起物（１）は、図３及び４に図示するように、第１の縁結び用の縁起物（２）が装飾体（２１）における糸通し部（２１ａ）に連結部材（２２）が挿通されて取り付けられているとともに、第２の縁結び用の縁起物（３）も装飾体（３１）における糸通し部（３１ａ）に連結部材（３２）が挿通されて取り付けられており、双方の連結部材（２２，３２）を縒り合わせて第１の縁結び用の縁起物（２）と第２の縁結び用の縁起物（３）とを結合している。
【００４２】
上記の通り、連結部材（２２，３２）は第１の縁結び用の縁起物（２）及び第２の縁結び用の縁起物（３）に２つずつ以上含まれていてもよいところ、図３及び４に図示するように、第１の縁結び用の縁起物（２）及び第２の縁結び用の縁起物（３）にはそれぞれ赤色で着色した繊維製のひも及び白色で着色した繊維製のひもが連結部材（２２，３２）として用いられている。連結部材（２２，３２）をこのような態様にすることによって、一組の縁結び用の縁起物（１）が一層めでたい雰囲気を醸し出すことができ、好適である。
【００４３】
そうすると、図４に図示するように、結合されている一組の縁結び用の縁起物（１）について縒り合されている連結部材（２２，３２）をほどいて、その連結を解除することによって、第１の縁結び用の縁起物（２）と第２の縁結び用の縁起物（３）とを分離することができる。また、図３に図示するように、分離されている一組の縁結び用の縁起物（１）について連結が解除されている連結部材（２２，３２）を縒り合わせて連結することによって、第１の縁結び用の縁起物（２）と第２の縁結び用の縁起物（３）とを結合することができる。
【００４４】
以上が、本考案の第２実施形態に係る一組の縁結び用の縁起物についての説明である。最後に、本考案の第３実施形態に係る一組の縁結び用の縁起物の構造及びその使用態様について添付図面に基づいて説明する。尚、本考案の第３実施形態に係る一組の縁結び用の縁起物の構造及びその使用態様は、下記の事項以外、前記の本考案の第１実施形態に係る一組の縁結び用の縁起物の構造及びその使用態様と同一である。
【００４５】
本考案の第３実施形態に係る一組の縁結び用の縁起物（１）は、図５及び６に図示するように、第１の縁結び用の縁起物（２）が装飾体（２１）における糸通し部（２１ａ）に連結部材（２２）が挿通されて取り付けられているとともに、第２の縁結び用の縁起物（３）も装飾体（３１）における糸通し部（３１ａ）に連結部材（３２）が挿通されて取り付けられており、連結具（４）を取り付けることによって第１の縁結び用の縁起物（２）と第２の縁結び用の縁起物（３）とを結合している。連結具（４）としては、例えばダブルクリップ等を用いることができる。
【００４６】
そうすると、図６に図示するように、結合されている一組の縁結び用の縁起物（１）について連結具（４）を取り外して連結部材（２２，３２）の連結を解除することによって、第１の縁結び用の縁起物（２）と第２の縁結び用の縁起物（３）とを分離することができる。また、図５に図示するように、分離されている一組の縁結び用の縁起物（１）について連結が解除されている連結部材（２２，３２）に連結具（４）を取り付けて連結することによって、第１の縁結び用の縁起物（２）と第２の縁結び用の縁起物（３）とを結合することができる。
【符号の説明】
【００４７】
１  一組の縁結び用の縁起物
２  第１の縁結び用の縁起物
２１  装飾体
２１ａ  糸通し部
２２  連結部材
３  第２の縁結び用の縁起物
３１  装飾体
３１ａ  糸通し部
３２  連結部材
４  連結具
【図１】
0003194142.tif 000003
【図２】
0003194142.tif 000004
【図３】
0003194142.tif 000005
【図４】
0003194142.tif 000006
【図５】
0003194142.tif 000007
【図６】
0003194142.tif 000008